(57)【要約】【課題】過大なトイレットペーパーの繰り出し量を抑制し、便器や排水配管の詰まりを未然防止する紙巻器を提供することを目的としている。【解決手段】本発明における紙巻器において、トイレットペーパーに挿通し回動自在に保持する長手状の軸心部と、長手状の軸心部を先端側および基端側から挟持する本体部と、を、備え、本体部はトイレットペーパーと当接する紙切り部と、トイレットペーパーの回動を規制する規制手段と、を有する。【選択図】図２
2018050738.tif 000002
【特許請求の範囲】
【請求項１】
トイレットペーパーを送り出すための紙巻器であって、
前記トイレットペーパーに挿通し回動自在に保持する長手状の軸心部と、
前記長手状の軸心部を先端側および基端側から挟持する本体部と、
を、備えた紙巻器において、
前記本体部は、
前記トイレットペーパーと当接する紙切り部と、
前記トイレットペーパーの回動を規制する規制手段と、を有することを特徴とする紙巻器。
【請求項２】
前記規制手段は、前記トイレットペーパーの繰り出し量、および／または、繰り出し速度によって抵抗量が変化することを特徴とする請求項１に記載の紙巻器。
【請求項３】
前記規制手段は、前記紙切り部に設けられた、前記トイレットペーパーの繰り出し量によって回動するローラーであり、
前記ローラーの回動抵抗が変化することを特徴とする請求項２に記載の紙巻器。
【請求項４】
トイレットペーパーを送り出すための紙巻器であって、
前記トイレットペーパーに挿通し回動自在に保持する長手状の軸心部と、
前記長手状の軸心部を先端側および基端側から挟持する本体部と、
を、備えた紙巻器において、
前記本体部は、
前記トイレットペーパーと当接する紙切り部と、
前記トイレットペーパーの繰り出し量、および／または、繰り出し速度によって変化する報知手段と、を有することを特徴とする紙巻器。
【請求項５】
前記紙切り部に設けられた、前記トイレットペーパーの繰り出し量、および／または、繰り出し速度によって変化するローラーの回動状況を報知することを特徴とする請求項４に記載の紙巻器。
【請求項６】
前記報知手段は前記トイレットペーパーの繰り出し量に相関関係を持つ変動を、所定部材の位置変動で報知することを特徴とする請求項５に記載の紙巻器。
【請求項７】
前記報知手段は前記トイレットペーパーの繰り出し速度に相関関係を持つ変動を、所定部材の色変動で報知することを特徴とする請求項５に記載の紙巻器。
【請求項８】
前記報知手段は前記トイレットペーパーの繰り出し速度に相関関係を持つ変動を、所定部材の位置変動で報知することを特徴とする請求項５に記載の紙巻器。
【発明の詳細な説明】
【技術分野】
【０００１】
本発明は、トイレットペーパーを送り出すための紙巻器に関する発明である。 
【背景技術】
【０００２】
従来の紙巻器は、片手でもトイレットペーパーの交換や、使用するトイレットペーパーの取り出しを可能とすることで、使い勝手の向上が図られている（例えば、特許文献１参照。）。 
このような場合、トイレットペーパーの使い勝手が良くなるだけで、取り出し量が使用者の癖に依存してしまうことから、排泄後の処理に必要な長さ以上に取り出してしまうことがあった。
発明者の調査によれば、通常のトイレットペーパー繰り出し量（使用量）が１ｍ乃至３ｍであるのに対して、過大な使用者は２０ｍ以上使用する事例も計測されており、便器内で詰まって洗浄不良が発生するだけでなく、排水配管内で管路を閉塞させるような詰まりを発生させることがあった。
【０００３】
トイレットペーパーの取り出しに対して手でつまんで引き出すだけでなく、トイレットペーパーに回転ローラーの負荷を加えて取り出せるようにしたものもある（例えば、特許文献２参照。）。
しかし、この場合も指の動きに制限のある高齢者や障がい者の使い勝手を向上させたものである。これは対象となる使用者に対しては有益なものであるが、その使用が過大なトイレットペーパー繰り出し量に対して抑制を加えることとは、関連性が無い。
【先行技術文献】
【特許文献】
【０００４】
【特許文献１】特開２００５−２３０１０６号公報
【特許文献２】実開昭５２−０６７４４２号公報
【発明の概要】
【発明が解決しようとする課題】
【０００５】
本発明は、上記問題を解決するためになされたもので、本発明の課題は、過大なトイレットペーパーの繰り出し量を抑制し、便器や排水配管の詰まりを未然防止することである。
【課題を解決するための手段】
【０００６】
上記目的を達成するために請求項１記載の発明によれば、トイレットペーパーを送り出すための紙巻器であって、前記トイレットペーパーに挿通し回動自在に保持する長手状の軸心部と、前記長手状の軸心部を先端側および基端側から挟持する本体部と、を、備えた紙巻器において、前記本体部は前記トイレットペーパーと当接する紙切り部と、前記トイレットペーパーの回動を規制する規制手段と、を有することを特徴とする。
そのため、過大なトイレットペーパーの繰り出し量を抑制し、便器や排水配管の詰まりを未然防止することができる。
【０００７】
また、請求項２記載の発明によれば、前記規制手段は前記トイレットペーパーの繰り出し量、および／または、繰り出し速度によって抵抗量が変化することを特徴とする。
そのため、使用者の習慣であるトイレットペーパーの繰り出し量や繰り出し速度に対して、簡単にその習慣の見直しの機会を得ることができる。
【０００８】
また、請求項３記載の発明によれば、前記規制手段は、前記紙切り部に設けられた、前記トイレットペーパーの繰り出し量によって回動するローラーであり、前記ローラーの回動抵抗が変化することを特徴とする。
そのため、トイレットペーパーの繰り出し量や繰り出し速度と相関性の高いローラー回転数情報を単純な構成で得ることができる。
【０００９】
また、請求項４記載の発明によれば、トイレットペーパーを送り出すための紙巻器であって、前記トイレットペーパーに挿通し回動自在に保持する長手状の軸心部と、前記長手状の軸心部を先端側および基端側から挟持する本体部と、を、備えた紙巻器において、前記本体部は前記トイレットペーパーと当接する紙切り部と、前記トイレットペーパーの繰り出し量、および／または、繰り出し速度によって変化する報知手段と、を有することを特徴とする。
そのため、使用者の習慣であるトイレットペーパーの繰り出し量や繰り出し速度に対する情報を簡単に認知して、その習慣の見直しの機会を得ることができる。
【００１０】
また、請求項５記載の発明によれば、前記紙切り部に設けられた、前記トイレットペーパーの繰り出し量、および／または、繰り出し速度によって変化するローラーの回動状況を報知する。    
そのため、トイレットペーパーの繰り出し量や繰り出し速度と相関性の高いローラー回転数情報を単純な構成で得ることができる。
【００１１】
また、請求項６記載の発明によれば、前記報知手段は前記トイレットペーパーの繰り出し量に相関関係を持つ変動を、所定部材の位置変動で報知することを特徴とする。
そのため、トイレットペーパーの繰り出し量に対する情報を簡単に認知して、その習慣の見直しの機会を得ることができる。
【００１２】
また、請求項７記載の発明によれば、前記報知手段は前記トイレットペーパーの繰り出し速度に相関関係を持つ変動を、所定部材の色変動で報知することを特徴とする。
そのため、トイレットペーパーの繰り出し速度に対する情報を簡単に認知して、その習慣の見直しの機会を得ることができる。
【００１３】
また、請求項８記載の発明によれば、前記報知手段は前記トイレットペーパーの繰り出し速度に相関関係を持つ変動を、所定部材の位置変動で報知することを特徴とする。
そのため、トイレットペーパーの繰り出し速度に対する情報を簡単に認知して、その習慣の見直しの機会を得ることができる。
【発明の効果】
【００１４】
本発明によれば、過大なトイレットペーパーの繰り出し量を抑制し、便器や排水配管の詰まりを未然防止することができるという効果がある。
【図面の簡単な説明】
【００１５】
【図１】本発明の紙巻器を示す斜視図である。
【図２】本発明の紙巻器の第１実施形態の要部構成を表すブロック図である。
【図３】本発明の第１実施形態での制御部の動作を示すフローチャートである。
【図４】本発明の紙巻器の第３実施形態を示す斜視図である。
【図５】本発明の紙巻器の第４実施形態を示す斜視図である。
【図６】本発明の紙巻器の第５実施形態を示す斜視図である。
【発明を実施するための形態】
【００１６】
以下、本発明の実施の形態について図面を参照しつつ説明する。なお、各図面中、同様の構成要素には同一の符号を付して詳細な説明は適宜省略する。  
【００１７】
図１にて本発明の紙巻器について以下に説明する。
図１は、本発明の紙巻器を示す斜視図である。
【００１８】
紙巻器１は、トイレの壁にネジ等で固定される本体２と、本体２の上方で回動動作可能な紙切り板３と、トイレットペーパー５を回動自在に保持する軸４と、を有している。
【００１９】
紙切り板３は、紙切り板３の先端裏側にのこぎり歯状の歯３ａが設けられている。トイレットペーパー５を使用する際は、使用者はトイレットペーパー５の端部を繰り出し、紙切り板３の歯３ａで切断する。
【００２０】
軸４は、図示しない可倒構造により、トイレットペーパー５を組み付けた時のみトイレットペーパー５を回動自在に保持するような構造となっている。
【００２１】
紙切り板３には、トイレットペーパー５に当接して回動するローラー６が設けられ、トイレットペーパー５の繰り出し長さに相関してローラー６が回転する。また、ローラー６は、ローラー６を紙巻器１に保持するための支持軸６ａを有している。
【００２２】
次に、本発明の第１実施形態について、以下に説明する。
図２に、本発明の第１実施形態の紙巻器の要部構成を表すブロック図を示す。
なお、破線で表したものは、制御部１１０からの信号を示している。
【００２３】
第１実施形態における紙巻器１は、ローラー６と、回転数検出手段１００と、制御部１１０と、発電機１２０と、スイッチＡ１３０と、スイッチＢ１４０と、抵抗Ａ１５０と、抵抗Ｂ１６０と、を有している。ローラー６は、支持軸６ａにより発電機１２０と繋がっている。
本実施形態において、支持軸６ａは、紙巻器１に回転可能に保持されている。
【００２４】
回転数検出手段１００は、磁石の磁界の変化を検出してパルス信号を出力するホールＩＣである。
回転数検出手段１００は、トイレットペーパー５が引き出された際に、単位時間当たりにおけるパルス信号の数から、単位時間当たりの回転数、つまりローラー６の回転速度を算出する。また、回転数検出手段１００は、パルスの数を積算した量から、積算した回転数、つまりローラー６の積算回転数を算出する。
【００２５】
制御部１１０は、スイッチ切替手段１１２を有しており、回転数検出手段１００により検出されたローラー６の回転数に基づいて、スイッチＡ１３０かスイッチＢ１４０かどちらのスイッチをＯＮするかの判定を行い、判定結果によりスイッチを切替える。
なお、スイッチがＯＮ状態になっているのは、常にどちらか片方である。
【００２６】
発電機１２０は、ローラー６の回転に伴って回転する永久磁石（図示せず）と、永久磁石の周りに設けられるコイル（図示せず）と、を有する。永久磁石は、ローラー６と一体的に形成される支持軸６ａに支持されることで、ローラー６と一体的に回転するように設けられる。コイルは、環状に形成され、その内部に永久磁石が位置するように、ハウジング（図示せず）対して支持された状態で設けられる。
【００２７】
スイッチは、スイッチＡ１３０とスイッチＢ１４０とが設けられ、夫々に対応するように、抵抗Ａ１５０と抵抗Ｂ１６０とが並列に繋がっている。
抵抗Ａ１５０と抵抗Ｂ１６０とは固定抵抗であり、抵抗Ａ＜抵抗Ｂとなっている。
【００２８】
次に、本発明の第１実施形態での制御部の動作を以下に説明する。
図３は、本発明の第１実施形態での制御部の動作を示すフローチャートである。
【００２９】
紙巻器１は、スイッチＡ１３０がＯＮ状態且つスイッチＢ１４０がＯＦＦ状態であるのが、基本の状態となっている。
この状態（使用者の操作が無い状態）から使用者により、トイレットペーパー５が引き出されると、ローラー６の回転速度が上昇する。  
ここで、ローラー６の回転速度が上がるにつれて、抵抗Ａ１５０を通過する電流が増加し、支持軸６ａのトルクが上昇することで、負荷が上がっていく。つまり、回生ブレーキによるブレーキが作用し、支持軸６ａの回転が減速される。
【００３０】
ステップＳ０１において、制御部１１０は、ローラー６の積算回転数が所定回数を超えたか否かの判定を行う。所定回数を超えた場合（Ｓ０１：Ｙｅｓ）は、Ｓ０２へ進み、所定回数を超えていない場合（Ｓ０１：Ｎｏ）は、この処理を繰り返す。
【００３１】
ステップＳ０２において、制御部１１０は、スイッチ切替手段１１２により、スイッチＡ１３０をＯＦＦ状態へ、スイッチＢ１４０をＯＮ状態へ切替える。
【００３２】
スイッチを切替えることで、抵抗Ｂ１６０による負荷が発生する。
ここで、抵抗値が大きな値に切替わるため、トルクが増大し、負荷が上がる。
つまり、回生ブレーキによるブレーキが作用し、支持軸６ａの回転が減速される。
そのため、トイレットペーパー５の繰り出し量によって、ローラー６の回動抵抗が変化し、使用者に対し、過大なトイレットペーパー５の繰り出し量を抑制し、便器や排水配管の詰まりを未然防止することができる。
【００３３】
ステップＳ０３において、制御部１１０は、ローラー６の回転速度が０になったか否かを判定する。回転速度が０になった場合（Ｓ０３：Ｙｅｓ）は、ステップＳ０４へ進み、回転速度が０でない場合（Ｓ０３：Ｎｏ）は、ステップＳ０３を繰り返し行う。
【００３４】
ステップＳ０４において、制御部１１０は使用者による紙巻器１の使用が終了したと判断し、スイッチＡ１３０をＯＮ状態へ、スイッチＢ１４０をＯＦＦ状態へ戻す。
【００３５】
次に、本発明の第２実施形態での紙巻器について、以下に説明する。
第２実施形態では、第１実施形態において、電気的に制御することでローラー６の回転にかかる負荷を与えていたことに対し、オイル式のダンパー構造で負荷を与えている。
【００３６】
ローラー６の表面には、トイレットペーパー５に対して十分な摩擦力が発生するよう、エラストマーが巻き付けられたり、セレーション状の凹凸が設けられている。ローラー６は支持軸６ａに対して回動するが、両者の間には図示しないオイル式のダンパー構造が設けられている。
本実施形態において、支持軸６ａは、紙巻器１に回動規制された状態で保持されている。
【００３７】
トイレットペーパー５をゆっくりと引き出された場合、ローラー６と支持軸６ａの間には抵抗が発生しないのに対して、素早く引き出すと、ローラー６と支持軸６ａの間には速度と相関する抵抗が発生する。トイレットペーパー５の破断応力より大きな抵抗が発生すると、トイレットペーパー５は破断することになり、習慣でトイレットペーパー５を引き出すような使用者に対して、トイレットペーパー５の繰り出し量を見直す機会を与えられるようになっている。ダンパーの構造としては、ローラー６と支持軸６ａの間にオイルを充填して、そのせん断力を抵抗として利用する方法が構造としても単純である。
【００３８】
次に、本発明の第３実施形態について、以下に説明する。
図４は、本発明の紙巻器の第３実施形態を示す斜視図である。
第３実施形態では、視覚的に使用者にトイレットペーパー５の繰り出し量や繰り出し速度を示すため、リードねじを用いている。つまり、ローラー６の積算回転数や回転速度を示すため、リードねじを用いている。
【００３９】
ローラー６の表面には溝によってリードネジ８が形成されている。溝にはリードネジ８と嵌合するマーカー９が組み付けられており、ガイド１０に沿って左右にマーカー９が移動する。トイレットペーパー５の移動量や移動スピードによって、使用者は視覚的にトイレットペーパー５の繰り出し量や繰り出し速度を見直す機会を与えられるようになっている。
【００４０】
次に、第４実施形態について、以下に説明する。
図５は、本発明の紙巻器の第４実施形態を示す斜視図である。ローラー６の一部が混色する混色ローラー１２になっている。混色ローラー１２の表面には複数の色が設けられて。たとえばイエロー・マゼンタ・シアンで着色されている場合、ゆっくりとトイレットペーパー５を繰り出したときには、各々の色が視認できる。ところが或る速さを超えると混色ローラー１２の各色は混色され、濃いグレーに見えることになる。トイレットペーパー５の移動スピードによって、使用者は視覚的にトイレットペーパー５の繰り出し速度を見直す機会を与えられるようになっている。
【００４１】
次に、第５実施形態について、以下に説明する。
図６は、本発明の紙巻器の第５実施形態を示す斜視図である。ローラー６の表面にはリード模様１３が設けられている。ゆっくりとトイレットペーパー５を繰り出したときには、リード模様１３は左右に異動して見える。ところが或る速さを超えるとリード模様１３のラインは錯視によって上下に見えることになる。トイレットペーパー５の移動スピードによって、使用者は視覚的にトイレットペーパー５の繰り出し速度を見直す機会を与えられるようになっている。
【００４２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレットペーパー５の繰り出し量（積算回転数）や回転速度などを示す手段は、例示したものに限定されるわけではなく適宜変更することができる。例えば、本実施形態１における紙巻器１において、トイレットペーパー５の繰り出し量（積算回転数）や回転速度をデジタル表示しても良い。
【符号の説明】
【００４３】
１…紙巻器
２…本体
３…紙切り板
３ａ…歯
４…軸
５…トイレットペーパー
６…ローラー
６ａ…支持軸
８…リードネジ
９…マーカー
１０…ガイド
１２…混色ローラー
１３…リード模様
１００…回転数検出手段
１１０…制御部
１１２…スイッチ切替手段
１２０…発電機
１３０…スイッチＡ
１４０…スイッチＢ
１５０…抵抗Ａ
１６０…抵抗Ｂ
【図１】
2018050738.tif 000003
【図２】
2018050738.tif 000004
【図３】
2018050738.tif 000005
【図４】
2018050738.tif 000006
【図５】
2018050738.tif 000007
【図６】
2018050738.tif 000008